【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
デジタル映像信号及びデジタル音声信号を受信する受信手段と、
前記受信手段で受信されたデジタル映像信号に所定の信号処理を施して映像表示する機能と、前記受信手段で受信されたデジタル音声信号に所定の信号処理を施して音声再生する機能との少なくとも一方を有する処理手段と、
映像がミュート状態に設定されたときその旨を示す情報が格納される記憶手段と、
前記記憶手段に格納された前記情報を外部からの要求に応じて出力できる制御手段とを具備することを特徴とするＡＶ装置。
【請求項２】
前記記憶手段には、前記処理手段による信号処理に要する時間が格納されており、
前記映像がミュート状態に設定されたときその旨を示す情報は、前記処理手段による信号処理に要する時間を示す情報を通常では取りえない値に書き替えることで前記記憶手段に格納されることを特徴とする請求項１記載のＡＶ装置。
【請求項３】
前記記憶手段には、前記処理手段による信号処理に要する時間が格納されており、
前記映像がミュート状態に設定されたときその旨を示す情報は、前記処理手段による信号処理に要する時間を示す情報を、当該時間が“０”であることを示す値に書き替えることで前記記憶手段に格納されることを特徴とする請求項１記載のＡＶ装置。
【請求項４】
前記受信手段は、前記デジタル映像信号及びデジタル音声信号をＨＤＭＩ規格に準拠した形態のデジタルデータとして受信することを特徴とする請求項１記載のＡＶ装置。
【請求項５】
前記記憶手段は、ＥＤＩＤメモリであることを特徴とする請求項１記載のＡＶ装置。
【請求項６】
それぞれが、入力映像信号に所定の信号処理を施して映像表示する機能と、入力音声信号に所定の信号処理を施して音声再生する機能との少なくとも一方を有する複数の電子機器に対して、デジタル映像信号及びデジタル音声信号を送信する送信手段と、
前記複数の電子機器から、それぞれ、映像がミュート状態に設定されたときその旨を示す情報を取得する取得手段と、
前記取得手段で取得された前記情報に基づいて、前記複数の電子機器それぞれの映像ミュートについての設定状態を判断し、前記送信手段で送信されるデジタル映像信号及びデジタル音声信号の少なくとも一方に、前記判断結果に対応した所定の信号処理を施す制御手段とを具備することを特徴とするＡＶ装置。
【請求項７】
前記制御手段は、前記取得手段で取得された前記情報に基づいて、前記複数の電子機器のうち、映像表示を行なう電子機器を判別することを特徴とする請求項６記載のＡＶ装置。
【請求項８】
前記取得手段は、前記複数の電子機器から映像ミュートについての設定状態をＥＤＩＤとして取得することを特徴とする請求項６記載のＡＶ装置。
【請求項９】
それぞれが、入力映像信号に所定の信号処理を施して映像表示する映像処理手段と、入力音声信号に所定の信号処理を施して音声再生する音声再生手段との少なくとも一方を有する複数の第１のＡＶ装置に対し、映像がミュート状態に設定されたときその旨を示す情報を格納させる第１の手段と、
前記複数の第１のＡＶ装置にデジタル映像信号及びデジタル音声信号を送信して映像表示または音声再生に供させる第２のＡＶ装置に対し、前記第１の手段で前記複数の第１のＡＶ装置に格納された前記情報を取得させる第２の手段と、
前記第２の手段で取得された前記情報に基づいて、前記複数の第１のＡＶ装置それぞれの映像ミュートについての設定状態を判断する手段を有し、前記第２のＡＶ装置から送信されるデジタル映像信号及びデジタル音声信号の少なくとも一方に、前記判断結果に対応した所定の信号処理を施す第３の手段とを具備することを特徴とするインターフェース方式。
【請求項１０】
前記設定状態を判断する手段は、前記第２の手段で取得された各種の情報に基づいて、前記複数の第１のＡＶ装置のうち、映像表示を行なう第１のＡＶ装置を判別することを特徴とする請求項９記載のインターフェース方式。
【請求項１１】
それぞれが、入力映像信号に所定の信号処理を施して映像表示する映像処理手段と、入力音声信号に所定の信号処理を施して音声再生する音声再生手段との少なくとも一方を有する複数の第１のＡＶ装置に対し、映像がミュート状態に設定されたときその旨を示す情報を格納させる第１の手段と、
前記複数の第１のＡＶ装置にデジタル映像信号及びデジタル音声信号を送信して映像表示または音声再生に供させる第２のＡＶ装置に対し、前記第１の手段で前記複数の第１のＡＶ装置に格納された前記情報を取得させる第２の手段と、
前記第２の手段で取得された前記情報に基づいて、前記複数の第１のＡＶ装置それぞれの映像ミュートについての設定状態を判断し、前記第２のＡＶ装置へデジタル映像信号及びデジタル音声信号を送信する第３のＡＶ装置が取得する情報に関して、前記判断結果に対応した所定の情報処理を施す第３の手段とを具備することを特徴とするインターフェース方式。
【請求項１２】
前記情報処理を施す第３の手段は、前記複数の第１のＡＶ装置の映像または音声の動作状態にある側の情報を選択して前記第３のＡＶ装置が取得するＥＤＩＤ情報としたことを特徴とする請求項１１記載のインターフェース方式。
【手続補正２】
【補正対象書類名】明細書
【補正対象項目名】００１４
【補正方法】変更
【補正の内容】
【００１４】
そこで、この発明は上記事情を考慮してなされたもので、映像及び音声の少なくとも一方を再生可能な機能を有するものであって、自己が映像の視認に供さないようにユーザによって設定されているかを、送信側となる電子機器に容易に判断させることを可能として、ユーザの取り扱いを便利するようにしたＡＶ装置を提供することを目的とする。
【手続補正３】
【補正対象書類名】明細書
【補正対象項目名】００１５
【補正方法】変更
【補正の内容】
【００１５】
また、この発明は、自己に接続された受信側となる各電子機器が、それぞれ映像の視認に供さないようにユーザによって設定されているかを自動的に判断し、受信側となる各電子機器に与える映像信号及び音声信号に、その判断結果に対応した処理を施すことにより、ユーザの取り扱いを便利にし得るようにしたＡＶ装置を提供することを目的とする。
【手続補正４】
【補正対象書類名】明細書
【補正対象項目名】００１６
【補正方法】変更
【補正の内容】
【００１６】
さらに、この発明は、受信側となる各ＡＶ装置がそれぞれ映像の視認に供さないようにユーザによって設定されているかを、送信側となるＡＶ装置が自動的に判断し、受信側となる各ＡＶ装置に与える映像信号及び音声信号に、その判断結果に対応した処理を施すことにより、ユーザの取り扱いを便利にし得るようにしたインターフェース方式を提供することを目的とする。
【手続補正５】
【補正対象書類名】明細書
【補正対象項目名】００１７
【補正方法】変更
【補正の内容】
【００１７】
この発明に係るＡＶ装置は、デジタル映像信号及びデジタル音声信号を受信する受信手段と；受信手段で受信されたデジタル映像信号に所定の信号処理を施して映像表示する機能と、受信手段で受信されたデジタル音声信号に所定の信号処理を施して音声再生する機能との少なくとも一方を有する処理手段と；映像がミュート状態あるいは同等の状態であって主に視聴者に供与されていない表示状態（以下これらを含めた意味にてミュート状態と表わす）に設定されたときその旨を示す情報が格納される記憶手段と；記憶手段に格納された情報を外部からの要求に応じて出力できる制御手段とを備えるようにしたものである。
【手続補正６】
【補正対象書類名】明細書
【補正対象項目名】００１８
【補正方法】変更
【補正の内容】
【００１８】
また、この発明に係るＡＶ装置は、それぞれが、入力映像信号に所定の信号処理を施して映像表示する機能と、入力音声信号に所定の信号処理を施して音声再生する機能との少なくとも一方を有する複数の電子機器に対して、デジタル映像信号及びデジタル音声信号を送信する送信手段と；複数の電子機器から、それぞれ、映像がミュート状態に設定されたときその旨を示す情報を取得する取得手段と；取得手段で取得された情報に基づいて、複数の電子機器それぞれの映像ミュートについての設定状態を判断し、送信手段で送信されるデジタル映像信号及びデジタル音声信号の少なくとも一方に、判断結果に対応した所定の信号処理を施す制御手段とを備えるようにしたものである。
【手続補正７】
【補正対象書類名】明細書
【補正対象項目名】００１９
【補正方法】変更
【補正の内容】
【００１９】
さらに、この発明に係るインターフェース方式は、それぞれが、入力映像信号に所定の信号処理を施して映像表示する映像処理手段と、入力音声信号に所定の信号処理を施して音声再生する音声再生手段との少なくとも一方を有する複数の第１のＡＶ装置に対し、映像がミュート状態に設定されたときその旨を示す情報を格納させる第１の手段と；複数の第１のＡＶ装置にデジタル映像信号及びデジタル音声信号を送信して映像表示または音声再生に供させる第２のＡＶ装置に対し、第１の手段で複数の第１のＡＶ装置に格納された情報を取得させる第２の手段と；第２の手段で取得された情報に基づいて、複数の第１のＡＶ装置それぞれの映像ミュートについての設定状態を判断し、第２のＡＶ装置から送信されるデジタル映像信号及びデジタル音声信号の少なくとも一方に、判断結果に対応した所定の信号処理を施す第３の手段とを備えるようにしたものである。
【手続補正８】
【補正対象書類名】明細書
【補正対象項目名】００２０
【補正方法】変更
【補正の内容】
【００２０】
また、この発明に係るインターフェース方式は、それぞれが、入力映像信号に所定の信号処理を施して映像表示する映像処理手段と、入力音声信号に所定の信号処理を施して音声再生する音声再生手段との少なくとも一方を有する複数の第１のＡＶ装置に対し、映像がミュート状態に設定されたときその旨を示す情報を格納させる第１の手段と；複数の第１のＡＶ装置にデジタル映像信号及びデジタル音声信号を送信して映像表示または音声再生に供させる第２のＡＶ装置に対し、第１の手段で複数の第１のＡＶ装置に格納された情報を取得させる第２の手段と；第２の手段で取得された情報に基づいて、複数の第１のＡＶ装置それぞれの映像ミュートについての設定状態を判断し、第２のＡＶ装置へデジタル映像信号及びデジタル音声信号を送信する第３のＡＶ装置が取得する情報に関して、判断結果に対応した所定の情報処理を施す第３の手段とを備えるようにしたものである。
【手続補正９】
【補正対象書類名】明細書
【補正対象項目名】００２１
【補正方法】変更
【補正の内容】
【００２１】
上記した発明によれば、受信側となる各ＡＶ装置がそれぞれ映像の視認に供さないようにユーザによって設定されているかを、送信側となるＡＶ装置が自動的に判別することができる。これにより、受信側となる各ＡＶ装置に与える映像信号及び音声信号に、その判断結果に対応した処理を施すことができ、ユーザの取り扱いを便利にすることが可能となる。